(57)【特許請求の範囲】
【請求項１】
屋内側壁よりも屋外側壁が高く形成され、入隅部に集中する雨水を屋外側壁で受け止めるようになされた入隅部の軒樋内に設けられる受水飛散防止部材であって、
軒樋内に挿入可能な略円筒状に形成されるとともに、入隅部に合致する平面視略Ｌ字状に形成された網状体からなり、軒樋内に挿入された状態で雨水が集中して流れ込むコーナー部が開口され、この開口部は、コーナー部一端から室内側角部を経てコーナー部他端へ到る室内側開口縁部と、コーナ部一端から室外側角部を経てコーナー部他端へ到る室外側開口縁部とからなり、
室内側開口縁部は、天端部を０度、樋底部を１８０度とした場合、室内側に９０度の位置の、コーナー部一端から室内側角部を経てコーナー部他端を通過する水平状に開口されてなり、
室外側開口縁部は、室内側に９０度の位置のコーナー部一端から、０度の位置の室外側角部を経て、室内側に９０度の位置のコーナー部他端に到る円弧状に開口されたものから、
室内側に９０度の位置のコーナー部一端から、室外側に６０度の位置の室外側角部を経て、室内側に９０度の位置のコーナー部他端に到るＬ字状に開口されたものまでの範囲で開口して雨水を受け入れるようになされたことを特徴とする受水飛散防止部材。
【請求項２】
屋内側壁よりも屋外側壁が高く形成され、入隅部に集中する雨水を屋外側壁で受け止めるようになされた入隅部の軒樋において、この軒樋内に受水飛散防止部材を設けて構成されてなり、
受水飛散防止部材は、軒樋内に挿入可能な略円筒状に形成されるとともに、入隅部に合致する平面視略Ｌ字状に形成された網状体からなり、軒樋内に挿入された状態で雨水が集中して流れ込むコーナー部が開口され、この開口部は、コーナー部一端から室内側角部を経てコーナー部他端へ到る室内側開口縁部と、コーナ部一端から室外側角部を経てコーナー部他端へ到る室外側開口縁部とからなり、
室内側開口縁部は、天端部を０度、樋底部を１８０度とした場合、室内側に９０度の位置の、コーナー部一端から室内側角部を経てコーナー部他端を通過する水平状に開口されてなり、
室外側開口縁部は、室内側に９０度の位置のコーナー部一端から、０度の位置の室外側角部を経て、室内側に９０度の位置のコーナー部他端に到る円弧状に開口されたものから、
室内側に９０度の位置のコーナー部一端から、室外側に６０度の位置の室外側角部を経て、室内側に９０度の位置のコーナー部他端に到るＬ字状に開口されたものまでの範囲で開口して雨水を受け入れるようになされたことを特徴とする軒樋入隅部構造。
【発明の詳細な説明】
【技術分野】
【０００１】
本発明は、軒樋入隅部内に設ける部材と、この部材による受水飛散防止構造とに関するものである。
【背景技術】
【０００２】
一般に、住宅建物の屋根谷部には、雨水が集中するため、この谷部下に位置する軒樋入隅部は、集中する雨水によって軒樋からのオーバーフローが生じ易くなる。
【０００３】
そこで、従来より、このような軒樋入隅部に集中する雨水によってオーバーフローするのを防止するために、図５（ａ）に示すように、入隅の屋内側壁ａに対して屋外側壁ｂを高く形成した雨樋ｃや、図５（ｂ）に示すように、入隅部の軒樋ｄ内に設けられ、集中する雨水の勢いを消す雨樋装置ｅなどが提案されている（特許文献１および２参照）。
【特許文献１】特開２００１−１４０４１７号公報
【特許文献２】特開２００１−１７３１７４号公報
【発明の開示】
【発明が解決しようとする課題】
【０００４】
しかし、上記従来の雨樋ｃのように、屋外側壁ｂを高く形成したものの場合、屋外側壁ｂによって雨水が飛び出さないようにしているだけであって、集中した雨水が雨樋ｃ内に勢い良く流れ込むことには変わりない。したがって、勢い良く流れ込んだ雨水が雨樋ｃ内で暴れて水飛沫が発ち易くなるので、この水飛沫が雨樋ｃ外に飛散することとなる。その結果、雨樋ｃを固定している鼻隠しｆの部分が濡れて汚れ易くなる。
【０００５】
また、上記従来のように、集中する雨水の勢いを消す雨樋装置ｅの場合、勢いを消してから軒樋ｄ内に雨水を流し込むが、勢いを消すために雨樋装置ｅ自体を雨水に衝突させるため、やはり水飛沫が発ち易くなり、この水飛沫が軒樋ｄ外に飛散することとなり、鼻隠しｆの部分が濡れて汚れ易くなる。
【０００６】
本発明は、係る実情に鑑みてなされたものであって、入隅部に集中する雨水が発生した場合に、水飛沫の発生を防止することができる受水飛散防止部材と、この部材を用いた軒樋入隅部構造とを提供することを目的としている。
【課題を解決するための手段】
【０００７】
上記課題を解決するための本発明の受水飛散防止部材は、屋内側壁よりも屋外側壁が高く形成され、入隅部に集中する雨水を屋外側壁で受け止めるようになされた入隅部の軒樋内に設けられる受水飛散防止部材であって、軒樋内に挿入可能な略円筒状に形成されるとともに、入隅部に合致する平面視略Ｌ字状に形成された網状体からなり、軒樋内に挿入された状態で雨水が集中して流れ込むコーナー部が開口され、この開口部は、コーナー部一端から室内側角部を経てコーナー部他端へ到る室内側開口縁部と、コーナ部一端から室外側角部を経てコーナー部他端へ到る室外側開口縁部とからなり、室内側開口縁部は、天端部を０度、樋底部を１８０度とした場合、室内側に９０度の位置の、コーナー部一端から室内側角部を経てコーナー部他端を通過する水平状に開口されてなり、室外側開口縁部は、室内側に９０度の位置のコーナー部一端から、０度の位置の室外側角部を経て、室内側に９０度の位置のコーナー部他端に到る円弧状に開口されたものから、室内側に９０度の位置のコーナー部一端から、室外側に６０度の位置の室外側角部を経て、室内側に９０度の位置のコーナー部他端に到るＬ字状に開口されたものまでの範囲で開口して雨水を受け入れるようになされたものである。
【０００８】
また、上記課題を解決するための本発明の軒樋入隅部構造は、屋内側壁よりも屋外側壁が高く形成され、入隅部に集中する雨水を屋外側壁で受け止めるようになされた入隅部の軒樋において、この軒樋内に受水飛散防止部材を設けて構成されてなり、受水飛散防止部材は、軒樋内に挿入可能な略円筒状に形成されるとともに、入隅部に合致する平面視略Ｌ字状に形成された網状体からなり、軒樋内に挿入された状態で雨水が集中して流れ込むコーナー部が開口され、この開口部は、コーナー部一端から室内側角部を経てコーナー部他端へ到る室内側開口縁部と、コーナ部一端から室外側角部を経てコーナー部他端へ到る室外側開口縁部とからなり、室内側開口縁部は、天端部を０度、樋底部を１８０度とした場合、室内側に９０度の位置の、コーナー部一端から室内側角部を経てコーナー部他端を通過する水平状に開口されてなり、室外側開口縁部は、室内側に９０度の位置のコーナー部一端から、０度の位置の室外側角部を経て、室内側に９０度の位置のコーナー部他端に到る円弧状に開口されたものから、室内側に９０度の位置のコーナー部一端から、室外側に６０度の位置の室外側角部を経て、室内側に９０度の位置のコーナー部他端に到るＬ字状に開口されたものまでの範囲で開口して雨水を受け入れるようになされたものである。
【発明の効果】
【０００９】
以上述べたように、本発明によると、受水飛散防止部材は、開口部から軒樋内へと雨水を流れ込ませるため、受水飛散防止部材に雨水が衝突して水飛沫が発生することにならない。また、受水飛散防止部材の開口部から軒樋内に流れ込んだ雨水は、軒樋内で暴れて水飛沫を発生しても、この水飛沫は、受水飛散防止部材に衝突して軒樋の外へと飛散しない。したがって、この受水飛散防止部材をオーバーフローを防止できる軒樋入隅部に用いることで、雨水のオーバーフローを防止することができるとともに、水飛沫の発生を防止することができ、この水飛沫による鼻隠しの汚れなどを無くすことができる。
【発明を実施するための最良の形態】
【００１０】
以下、本発明の実施の形態を図面を参照して説明する。
【００１１】
図１は、受水飛散防止部材１の全体構成の概略を示し、図２は同受水飛散防止部材１を用いた軒樋入隅部構造を示し、図３は軒樋入隅部構造の施工状態を示している。
【００１２】
すなわち、この軒樋入隅部構造は、入隅部の軒樋２に受水飛散防止部材１を設けて構成されている。
【００１３】
受水飛散防止部材１は、軒樋２内に挿入可能な略円筒状に形成されるとともに、入隅部に合致する平面視略Ｌ字状に形成された網状体からなる。この受水飛散防止部材１は、軒樋２内に挿入された状態でコーナー部が開口され、この開口部１０から雨水を受け入れるようになされている。
【００１４】
この受水飛散防止部材１は、図１に示すように、耐侯性に優れた樹脂材料などからなり、所望の形状に切断されたシート状の網状体１１を、組み合わせ接合して形成することができる。また、この受水飛散防止部材１は、図４に示すように、あらかじめ所望の形状に一体成形したものであってもよい。
【００１５】
この受水飛散防止部材１のコーナー部に形成される開口部１０の大きさは、屋根３の勾配や大きさによって軒樋２の入隅部に集中する雨水の勢いが異なるので、これらを考慮して決定される。すなわち、開口部１０は、軒樋２の入隅部に集中して流れ込む雨水の通り道だけが開口するように、できるだけ小さくなるように決定される。
【００１６】
これにより、軒樋２の入隅部に集中する雨水は、開口部１０から軒樋２内の受水飛散防止部材１内に流れ込む。また、この流れ込む際の勢いで水飛沫が発生したとしても、軒樋２内の受水飛散防止部材１内で発生するので、これらの水飛沫は、受水飛散防止部材１に衝突し、軒樋２の外側には飛散しないこととなる。
【００１７】
具体的に、図１に示す受水飛散防止部材１の開口部１０は、天端部を０度、樋底部を１８０度とした場合、室外側に６０度、室内側に９０度の最大開口角度となるように開口するようになされている。また、図４に示す受水飛散防止部材１の開口部１０は、室外側に０度、室内側に９０度の最大開口角度となるように開口するようになされている。
【００１８】
軒樋２は、鼻隠し４に設けたブラケット５を介して屋根３の下端部に固定するようになされている。この軒樋２の少なくとも入隅部は、屋内側壁２１よりも屋外側壁２２の方が高く形成され、入隅部に集中する雨水を屋外側壁２２で止めて、この屋外側壁２２よりも外側に雨水がオーバーフローしないようになされている。また、入隅部以外の軒樋２の内部には、ブラケット５の内側に納まるように、円筒状になった落ち葉除けのネット６が設けられている。
【００１９】
受水飛散防止部材１を入隅部の軒樋２に設けるには、図３に示すように、落ち葉除けのネット６の端部に、それぞれ受水飛散防止部材１の端部を針金などで接続し、この落ち葉除けのネット６とともに軒樋２内に設けることによって簡単に施工することができる。落ち葉除けネット６がブラケット５の内側に納まっているので、受水飛散防止部材１は、その両端部をこの落ち葉除けのネット６の端部に接続するだけで良く、軒樋２に対して特別な固定を必要としない。
【００２０】
入隅部の軒樋２に、この受水飛散防止部材１を設けることにより、この入隅部に集中する雨水によって引き起こされる水飛沫の発生を防止することができる。したがって、この水飛沫の発生による鼻隠し４の汚れなどを防止することができる。
【産業上の利用可能性】
【００２１】
入隅部を有する住宅建物の軒樋に利用できる。
【図面の簡単な説明】
【００２２】
【図１】（ａ）ないし（ｃ）は、本発明に係る受水飛散防止部材の製造工程の概略図である。
【図２】本発明に係る受水飛散防止部材を設けた軒樋入隅部構造の全体構成の概略を示す断面図である。
【図３】（ａ）および（ｂ）は、軒樋への受水飛散防止部材の施工工程を示す部分斜視図である。
【図４】受水飛散防止部材の他の実施の形態を示す斜視図である。
【図５】（ａ）は従来の雨樋を示す断面図、（ｂ）は従来の雨樋装置を示す断面図である。
【符号の説明】
【００２３】
１  受水飛散防止部材
１０  開口部
２  軒樋
２１  屋内側壁
２２  屋外側壁
３  屋根
【図１】
0004429250.tif 000002
【図２】
0004429250.tif 000003
【図３】
0004429250.tif 000004
【図４】
0004429250.tif 000005
【図５】
0004429250.tif 000006